(57)【要約】【課題】製造にかかるエネルギーを大幅に低減させることのできる植物性燃料ペレットの製造方法を提供する。【解決手段】植物性燃料ペレットの製造方法に、原料植物を所定の大きさとなるように粉砕する粉砕工程（ステップＳ１）と、粉砕工程で生成された原料粉を所定の水分率となるまで乾燥させる乾燥工程（ステップＳ２）と、乾燥工程で生成された乾燥原料粉をペレット状に加圧成形すると共に成形時に発生する加工熱により燃料に適した水分率に乾燥させる造粒工程（ステップＳ３）と、造粒工程で生成された製品を通気性を有した袋又は容器に梱包する梱包工程（ステップＳ４）とを具備させる。【選択図】図１
2007197626.tif 000002
【特許請求の範囲】
【請求項１】
原料植物を所定の大きさとなるように粉砕する粉砕工程と、
該粉砕工程で生成された原料粉を、所定の水分率となるまで乾燥させる乾燥工程と、
該乾燥工程で生成された乾燥原料粉を、ペレット状に加圧成形すると共に成形時に発生する加工熱により燃料に適した水分率に乾燥させる造粒工程と、
該造粒工程で生成された製品を、通気性を有した袋又は容器に梱包する梱包工程と
を具備することを特徴とする植物性燃料ペレットの製造方法。
【請求項２】
前記乾燥工程は、
下側が嵩上げされた網状の床からなる乾燥床上に、前記原料粉を所定の厚さとなるように散布して乾燥させることを特徴とする請求項１に記載の植物性燃料ペレットの製造方法。
【請求項３】
前記造粒工程は、
ペレット状に加圧成形するためのダイスにおけるダイス孔の長さが、前記原料植物の種類に対応した長さであることを特徴とする請求項１又は請求項２に記載の植物性燃料ペレットの製造方法。
【発明の詳細な説明】
【技術分野】
【０００１】
本発明は、植物を粉砕した上でペレット化して燃料とするための植物性燃料ペレットの製造方法に関するものである。
【背景技術】
【０００２】
従来より、燃料ペレットとして、間伐材や木工所等からでる端材等の木材を用いた植物性燃料ペレットが知られている。この植物性燃料ペレットの製造方法としては、原料となる原木を数ｍｍ以下に粉砕（粉砕工程）し、粉砕された原料粉をストックヤードに堆積させる（堆積工程）。そして、堆積された原料粉をペレット成形に適した水分率に調整（水分調整工程）した上で、原料粉をペレット成形機に投入してペレット状に加圧・固化成形する（成形工程）。その後、ペレット状に成形された製品を乾燥（乾燥工程）させてから、防湿性フィルムからなる袋に詰め（梱包工程）て保管・出荷するようにしていた。
【０００３】
【特許文献１】特開２００４−２９２７８７号公報
【発明の開示】
【発明が解決しようとする課題】
【０００４】
しかしながら、従来の製造方法では、粉砕された原料粉がペレット状に成形されるまで、ストックヤードに数日間ストックされることとなるが、このストックヤードでは原料粉が山積されるため、原料粉の自然乾燥がし難いものとなっていた。特に、大量のペレットを製造できる大型の製造プラントでは、原料粉がストックヤードに数ｍの高さまで堆積されるため、自然乾燥が進むことは殆んど無かった。そのため、水分調整工程において、４０％前後ある原料粉の水分率をペレット成形に適した２０％以下程度まで強制乾燥させなければならず、多くの熱エネルギーを必要としコスト高の要因となっていた。また、原料粉が乾燥しすぎた場合は、水を添加する等して適切な水分率に調整しており、手間がかかると共に、無駄なエネルギーを消費していた。
【０００５】
また、従来では、ペレット状に成形する成形工程では水分率が殆んど変化しないため、成形された植物性燃料ペレットの水分率が高く、そのままでは燃料としては不充分なため、熱風乾燥機などを用いて燃料として燃焼し易い水分率（概ね１２％以下）まで強制乾燥させている。そのため、ここでも乾燥させるために多くの熱エネルギーを必要とする問題がある。
【０００６】
更に、従来では、ペレット状に成形された植物性燃料ペレットを熱風乾燥機などで強制乾燥させているので、その乾燥状態（例えば、過乾燥状態）によっては再吸湿する可能性があり、植物性燃料ペレットを梱包する際に、防湿性フィルムからなる袋を用いて密封しなければならず、手間がかかりコストが高くなっていた。
【０００７】
そこで、本願発明は上記の実状に鑑み、製造にかかるエネルギーを大幅に低減させることのできる植物性燃料ペレットの製造方法の提供を課題とするものである。
【課題を解決するための手段】
【０００８】
上記の課題を解決するために、本発明に係る植物性燃料ペレットの製造方法は、
「原料植物を所定の大きさとなるように粉砕する粉砕工程と、
該粉砕工程で生成された原料粉を、所定の水分率となるまで乾燥させる乾燥工程と、
該乾燥工程で生成された乾燥原料粉を、ペレット状に加圧成形すると共に成形時に発生する加工熱により燃料に適した水分率に乾燥させる造粒工程と、
該造粒工程で生成された製品を、通気性を有した袋又は容器に梱包する梱包工程と
を具備することを特徴とする」方法である。
【０００９】
ここで、「原料植物」としては、「松、スギ、ヒノキ、ヒバなどの針葉樹」、「コナラ、ナラ、ブナ、ホオ等の広葉樹」、「ケナフ、藁等の草類」、等を例示することができる。また、乾燥工程における「所定の水分率」とは、造粒工程において原料粉をペレット状に加圧成形するのに適した水分率（１７〜２１％）であり、約２０％以下、望ましくは約１８％以下である。更に、造粒工程における「燃料に適した水分率」とは、燃焼に適した水分率（８〜１３％）であり、約１２％以下である。なお、本明細書で示す水分率は、重量％である。
【００１０】
また、「成形時に発生する加工熱」とは、乾燥原料粉を加圧することで発生する圧縮熱や、乾燥原料粉がペレット状に成形するためのダイス孔を通過する際に発生する摩擦熱などである。なお、加圧力、ダイス孔の長さや径などを適宜選択して発生する加工熱が約１００℃ぐらいとなるようにすることが望ましい。
【００１１】
本発明によると、ペレット状に加圧成形する際に発生する加工熱を用いて、燃焼に適した水分率となるように製品としての植物性燃料ペレットを乾燥させるようにしているので、従来のように、ペレット化した後に乾燥工程を設けて熱風乾燥機などで乾燥させる必要が無く、植物性燃料ペレットの製造にかかるエネルギーを低減させることができる。
【００１２】
また、通気性を有した袋又は容器に梱包するようにしているので、造粒工程で成形された直後の加工熱によって室温よりもかなり温度の高くなっている植物性燃料ペレットを梱包しても、自然な水分蒸発の継続を妨げることが無く、植物性燃料ペレットを乾燥させることができる。なお、自然な水分蒸発により植物性燃料ペレットを乾燥させているので、通常の屋内における保管状態では、再吸湿が殆んど生じず、通気性を有した袋などに梱包しても何ら問題となることはない。
【００１３】
更に、本発明では、従来の堆積工程を乾燥工程とすると共に、ペレット成形後の乾燥工程を造粒工程と一緒に行うようにしているので、水分調整工程や成形後の乾燥工程を廃止することができ、製造にかかる工程を少なくすることができる。
【００１４】
なお、乾燥工程において、自然乾燥により原料粉の水分率を約１８％ぐらいまで乾燥させるようにした場合、従来のように強制乾燥させる必要が無いので、乾燥にかかるエネルギーを大幅に削減することができ、植物性燃料ペレットの製造にかかるコストを低減させることができる。
【００１５】
本発明に係る植物性燃料ペレットの製造方法は、上記の構成に加えて、
「前記乾燥工程は、
下側が嵩上げされた網状の床からなる乾燥床上に、前記原料粉を所定の厚さとなるように散布して乾燥させることを特徴とする」方法である。
【００１６】
ここで、「乾燥床」としては、原料粉が通過不能な大きさの目からなる網（例えば、金網）を床面とし、その下側に棒状の支持部材（例えば、根太）を所定の間隔で配置して、床面を約５０ｍｍ程度嵩上げしたものを例示することができる。
【００１７】
また、原料粉を散布する「所定の厚さ」としては、２０〜３０ｍｍの厚さとすることが望ましく、この範囲内とすることで自然乾燥により原料粉を所定の水分率まで容易に乾燥させることができる。なお、散布する厚さをこれよりも薄くすると、面積あたりの原料粉の量が少なくなり生産性が低下すると共に乾燥床の面積を大きくしなければならず設備にかかるコストが増加する問題が発生する。また、散布する厚さをこれよりも厚くすると、通気性が低下して乾燥にかかる時間が増加すると共に、原料粉の量が多くなり作業性が低下する問題が発生する。
【００１８】
本発明によると、嵩上げされた網状の乾燥床に所定の厚さで原料粉を散布するようにしているので、散布された原料粉の通気性を高めることができ、自然乾燥でも充分に原料粉をペレット成形に最適な所定の水分率（約１８％前後）まで乾燥させることができ、乾燥にかかるエネルギーを大幅に削減してコストを低減させることができる。
【００１９】
また、自然乾燥させることができるので、乾燥速度が緩慢なものとなり過乾燥により水分率が低下しすぎるのを防止することができ、従来のように水を添加して水分調整する必要が無く、乾燥と共に水分調整にかかる手間を簡略化することができる。
【００２０】
なお、原料粉を乾燥床上に２０〜３０ｍｍの厚さとなるように散布した場合、散布された原料粉の通気性を最適な状態で確保することができ、容易に自然乾燥させることができると共に、散布作業を容易に行うことができる。
【００２１】
また、高湿度の気候下では、乾燥工程の際に扇風機などの送風機により送風して、乾燥を促進させるようにしても良い。この場合、送風によりコストが若干上昇するものの、従来のように熱風により強制乾燥させる場合と比較すれば、熱エネルギーを大幅に削減することができる。
【００２２】
本発明に係る植物性燃料ペレットの製造方法は、上記の構成に加えて、
「前記造粒工程は、
ペレット状に加圧成形するためのダイスにおけるダイス孔の長さが、前記原料植物の種類に対応した長さであることを特徴とする」方法である。
【００２３】
ここで、「原料植物の種類に対応した長さ」とは、原料植物の種類によって原料粉がダイス孔内を通過する際に発生する摩擦熱が異なっており、発生する摩擦熱が少ないものの場合はダイス孔の長さを長くし、発生する摩擦熱が多いものの場合はダイス孔の長さを短くして発生する摩擦熱が約１００℃程度となるような長さとするものである。具体的には、例えば、ダイス孔径が約６ｍｍ程度の場合では、松などの油脂分が多く流動性が良い比較的材質の柔らかいもの（例えば、針葉樹）の場合はダイス孔の長さを約２０ｍｍ程度とし、コナラなどの材質の硬いもの（例えば、広葉樹）の場合はダイス孔の長さを約１０ｍｍ程度とすることが望ましい。
【００２４】
また、「ダイス」としては、ペレット成形するための複数の貫通孔（ダイス孔）を備えたものであり、円盤状、或いは円筒状のものを例示することができる。なお、円盤状のダイスとすることで、円筒状のものと比較してダイスを安価に製造することができる。
【００２５】
本発明によると、ダイス孔の長さを植物性燃料ペレットに用いる原料植物の種類に応じた長さとしているので、原料となる植物の種類が変わっても、原料植物の種類に対応した長さのダイス孔を備えたダイスと交換するだけで、容易にその原料植物で燃料に適した水分率の植物性燃料ペレットを製造することができ、熱エネルギーを削減することができると共に、汎用性の高いものとすることができる。
【００２６】
ところで、従来の植物性燃料ペレットを製造するプラントでは、水分調整工程や乾燥工程で熱風乾燥機などを用いて強制乾燥させるようにしており、多くの熱エネルギーを消費するので、例えば、一時間当り１０００ｋｇ程の製造能力を持つ大型のペレット成形機を用いて大量に植物性燃料ペレットを製造（成形）することで製造コストを低減させるようにしていた。そのため、製造プラント全体が大型化し、製造プラントの設置場所が限定されると共に、一つの製造プラントにかかる設備コストが高いものとなり、容易に増設することができず、生産量の変化に対して対応し難いものとなっていた。
【００２７】
しかしながら、本発明によると、上述した通り、乾燥工程や造粒工程において熱風乾燥機などを備える必要が無く、エネルギー消費量を大幅に削減することができるので、大量生産しなくても製造コストを低減させることができ、小型（例えば、製造能力が１００ｋｇ／ｈ程度）のペレット成形機を用いることが可能となり、製造プラント全体を小型化することができると共に、設備コストを大幅に低減させることができる。
【００２８】
そのため、製造プラントの設置自由度が高くなり、例えば、植物性燃料ペレットの消費地毎に製造プラントを分散配置させたり、移動可能な製造プラントとしたりすることができる。また、小型で低コストの製造プラントとすることができるので、複数の製造プラントにて植物性燃料ペレットを製造し、生産量が変化した場合は、製造プラントを増設したり、一部の製造プラントを停止させたりして、変化に容易に対応させることができ、効率よく植物性燃料ペレットを製造することができる。
【発明の効果】
【００２９】
上記のように、本発明によると、製造にかかるエネルギーを大幅に低減させることのできる植物性燃料ペレットの製造方法を提供することができる。
【発明を実施するための最良の形態】
【００３０】
以下、本発明を実施するための最良の形態について、図１乃至図３に基づいて詳細に説明する。図１は、本発明に係る植物性燃料ペレットの製造方法を示す工程図である。図２は、図１の乾燥工程における乾燥床を概略構成で示す断面図である。図３は、図１の造粒工程におけるダイスの要部を示す拡大断面図である。
【００３１】
本実施形態の植物性燃料ペレットの製造方法は、まずステップＳ１の粉砕工程では、原料植物として所定樹種の原木を、公知の粉砕機を用いて数ｍｍ以下のチップ状或いはおが屑状に粉砕して原料粉１０を生成する。なお、この粉砕工程で生成された原料粉１０の水分率は、約４０％前後である。
【００３２】
続いて、ステップＳ２の乾燥工程では、ステップＳ１の粉砕工程で生成された原料粉１０を、乾燥床１１上に厚さが２０〜３０ｍｍ程度となるように散布し原料粉１０の水分率が１８％以下となるまで１〜３日程度の間、自然乾燥させて乾燥原料粉２０を生成する。
【００３３】
この乾燥工程で用いられる乾燥床１１は、図２に示すように、原料粉１０が通過不能な大きさの目からなる網体１２と、網体１２を床面１３から嵩上げするために、網体１２の下側に所定間隔で配置される複数の支持部材１４とから構成されている。なお、本例では、網体１２が金網とされている。また、支持部材１４は、網体１２を床面１３から約５０ｍｍ程度嵩上げできる高さの根太とされている。
【００３４】
この乾燥床１１は、支持部材１４により原料粉１０が散布される網体１２を床面１３から嵩上げした構造としているので、散布された原料粉１０の上側だけでなく、下側の通気性も確保することができ、原料粉１０を自然乾燥できるようになっている。なお、図示は省略するが、乾燥床１１を原料粉１０を載置した状態で移動できるようにしたり、上下に複数段重ね積みできるようにしても良く、より使い勝手の良いものとすることができる。
【００３５】
この乾燥工程で生成された乾燥原料粉２０は、次のステップＳ３の造粒工程で、公知のペレット成形機２１を用いて製品としてのペレット状の植物性燃料ペレット３０に成形される。この造粒工程に用いるペレット成形機２１は、図３に示すように、直径が６〜８ｍｍ程度（本例では約６ｍｍ程度）のダイス孔２２が複数穿設された円盤状或いは円筒状のダイス２３と、ダイス２３の一方の面に圧接する加圧ローラ２４とを備えている。本例のペレット成形機２１は、具体的な構成は省略するが、ダイス２３の交換が容易に行える構造とされており、図３（Ａ）及び（Ｂ）に示すように、原料植物の種類に応じて、ダイス孔２２の長さ（図中、Ｌ１やＬ２）が異なるダイス２３と交換できるようになっている。
【００３６】
この造粒工程では、水分率が約１８％程度となった乾燥原料粉２０をペレット成形機２１のダイス２３上に投入しながら、加圧ローラ２４を転動させることで、ダイス２３上の乾燥原料粉２０がダイス孔２２内へ圧入され、その加圧力と含まれる水分とによって円柱状に圧縮形成されてダイス孔２２の反対側から押出され、自然に或いは切断装置等により２０〜３０ｍｍの長さに破断或いは切断されて、植物性燃料ペレット３０が形成（造粒）されるようになっている。その際に、ダイス孔２２内では、圧縮された乾燥原料粉２０の移動により摩擦熱が発生して温度が上昇して約１００℃程度となるようになっており、その温度によって更に乾燥させて、約１２％程度の燃料に適した水分率となるようになっている。
【００３７】
ところで、本例の造粒工程では、ダイス孔２２内で発生する摩擦熱が原料植物の種類に応じて異なっているので、発生する摩擦熱が約１００℃程度となるような長さのダイス孔２２を備えたダイス２３を用いて造粒するようになっている。詳述すると、原料植物として流動性の良いものや材質の柔らかいものの場合は、発生する摩擦熱が少ないため、ダイス孔２２の長さが長いダイス２３を用い（図３（Ａ）参照）、原料植物として材質の硬いものの場合は、発生する摩擦熱が多くダイス孔２２の長さが短いダイス２３を用いるようにしている（図３（Ｂ）参照）。具体的には、松などの油脂分が多く流動性が良い比較的材質の柔らかいもの（例えば、針葉樹）の場合はダイス孔２２の長さＬ１が約２０ｍｍ程度のダイス２３を用いる一方、コナラなどの材質の硬いもの（例えば、広葉樹）の場合はダイス孔２２の長さＬ２が約１０ｍｍ程度のダイス２３を用いるようにしている。
【００３８】
なお、原料植物として木材を用いる場合は、上記したダイス孔２２の長さが約２０ｍｍのものと約１０ｍｍのものの二種類のダイス２３を予め用意しておけば、その他の樹種であっても充分に対応することができるが、特殊な材質（例えば、緻密で硬い組織を持つ木材）の植物を原料とする場合は、更にダイス孔２２の長さが短いダイス２３を用意することが望ましい。
【００３９】
そして、ステップＳ３の造粒工程で成形された植物性燃料ペレット３０は、続くステップＳ４の梱包工程で、通気性を有した袋に詰めて梱包され、保管、或いは出荷されることとなる。この梱包工程では、造粒工程で成形された直後の植物性燃料ペレット３０、つまり、加工熱により温度が室温よりもかなり高くなっている植物性燃料ペレット３０を梱包するようにしているが、通気性を有した袋などに梱包するようにしているので、温度の高い植物性燃料ペレット３０からの自然な水分蒸発が妨げられることが無く、温度の低下と共に、燃焼に適した水分率まで自然に乾燥できるようになっている。
【００４０】
このように、本実施形態の植物性燃料ペレットの製造方法によると、ペレット状に加圧成形する際に発生する加工熱を用いて、燃焼に適した水分率となるように植物性燃料ペレット３０を乾燥させるようにしているので、従来のように、ペレット化した後に乾燥工程を設けて熱風乾燥機などで乾燥させる必要が無く、植物性燃料ペレット３０の製造にかかるエネルギーを低減させることができる。
【００４１】
また、通気性を有した袋などに梱包するようにしているので、造粒工程（ステップＳ３）で成形された直後の加工熱によって室温よりもかなり温度の高くなっている植物性燃料ペレット３０を梱包しても、自然な水分蒸発の継続を妨げることが無く、植物性燃料ペレット３０を乾燥させることができる。なお、自然な水分蒸発により植物性燃料ペレット３０を乾燥させているので、通常の屋内における保管状態では、再吸湿が殆んど生じず、通気性を有した袋などに梱包しても何ら問題となることはない。
【００４２】
更に、支持部材１４により嵩上げされた網体１２を有した乾燥床１１に、原料粉１０を２０〜３０ｍｍ程度の厚さに散布しているので、散布された原料粉１０の通気性を高めることができ、自然乾燥でも充分に原料粉１０をペレット成形に最適な水分率（約１８％前後）まで乾燥させることができ、乾燥にかかるエネルギーを大幅に削減してコストを低減させることができる。また、自然乾燥させることができるので、乾燥速度が緩慢なものとなり過乾燥により水分率が低下しすぎるのを防止することができ、従来のように水分調整する必要が無く、乾燥と共に水分調整にかかる手間を簡略化することができる。
【００４３】
また、ダイス孔２２の長さを、植物性燃料ペレット３０に用いる原料植物の種類に応じた長さとしているので、原料となる植物の種類が変わっても、原料植物の種類に対応した長さのダイス孔２２を備えたダイス２３と交換するだけで、容易にその原料植物で最適な植物性燃料ペレット３０を製造することができ、熱エネルギーを削減することができると共に、汎用性の高いものとすることができる。
【００４４】
更に、乾燥工程（ステップＳ２）や造粒工程（ステップＳ３）において熱風乾燥機などを備える必要が無く、エネルギー消費量を大幅に削減することができるので、大量生産しなくても製造コストを低減させることができ、小型のペレット成形機を用いることが可能となり、製造プラント全体を小型化することができると共に、設備コストを大幅に低減させることができる。そのため、製造プラントの設置自由度が高くなり、例えば、植物性燃料ペレット３０の消費地毎に製造プラントを分散配置させたり、移動可能な製造プラントとしたりすることができる。また、小型で低コストの製造プラントとすることができるので、複数の製造プラントにて製造し、生産量が変化した場合は、製造プラントを増設したり、一部の製造プラントを停止させたりして、変化に容易に対応させることができ、効率よく植物性燃料ペレット３０を製造することができる。
【００４５】
以上、本発明を実施するための最良の実施形態を挙げて説明したが、本発明はこの実施の形態に限定されるものではなく、以下に示すように、本発明の要旨を逸脱しない範囲において、種々の改良及び設計の変更が可能である。
【００４６】
すなわち、上記の本実施形態では、乾燥工程（ステップＳ２）では、室内などに放置して自然乾燥させるようにしているが、これに限定するものではなく、高湿度の気候下などの場合では、扇風機や送風機を用いて乾燥床１１に散布された原料粉１０に送風することで、乾燥を促進させるようにしても良い。この場合、送風に若干のエネルギーが必要となるが、従来のように熱風により強制乾燥させる場合と比較すれば、エネルギーを大幅に削減することができる。
【００４７】
また、本実施形態では、原料植物として木材を用いた場合を示したが、これに限定するものではなく、原料植物として、ケナフ、藁、雑草、などの草類を用いても良好な植物性燃料ペレットを製造することができ、上記と同様の作用効果を奏することができる。
【図面の簡単な説明】
【００４８】
【図１】本発明に係る植物性燃料ペレットの製造方法を示す工程図である。
【図２】図１の乾燥工程における乾燥床を概略構成で示す断面図である。
【図３】図１の造粒工程におけるダイスの要部を示す拡大断面図である。
【符号の説明】
【００４９】
Ｓ１  粉砕工程
Ｓ２  乾燥工程
Ｓ３  造粒工程
Ｓ４  梱包工程
１０  原料粉
１１  乾燥床
１２  網体
１３  床面
１４  支持部材
２０  乾燥原料粉
２１  ペレット成形機
２２  ダイス孔
２３  ダイス
２４  加圧ローラ
３０  植物性燃料ペレット
【図１】
2007197626.tif 000003
【図２】
2007197626.tif 000004
【図３】
2007197626.tif 000005